(57)【要約】【課題】運転台数の見直しのための時間間隔を随時最適な値に制御し、冷温水の温度の安定化を図る、吸収冷温水機の台数制御方法を提供する。【解決手段】配管７０を介して並列接続され、まとめて制御されるように構成した吸収冷温水機Ａ〜Ｅの運転台数の制御方法であって、所定の最大高設定温度又は最大低設定温度に達するまでの予測時間と運転台数の見直し時間の間隔との対応関係を示すテーブルを予め決定し、冷温水入口部分での検出温度が予め設定してある設定温度の何れかに到達する毎に、温度勾配を算出して最大高設定温度又は最大低設定温度に達するまでに要する時間を予測時間として演算して予測時間に対応した見直し時間の間隔をテーブルから割り出し吸収冷温水機の運転台数の見直し時間の間隔を新たに決定するとともに、見直し時間の満了毎に、判定基準から新たに運転台数を決定する。【選択図】図１
2012007871.tif 000002
【特許請求の範囲】
【請求項１】
複数台の吸収冷温水機が配管を介して並列接続され、前記各吸収冷温水機に備えたスレーブマイコンをまとめて制御するマスタマイコンを備えた吸収冷温水機の運転台数の制御方法であって、
前記配管の冷温水入口部分で検出した温度が、予め特定温度間隔で設定した複数段階の設定温度のうち最大高設定温度又は最大低設定温度に達するまでの予測時間と、運転台数の見直し時間の間隔との対応関係を示す、テーブルを予め決定し、
前記配管の冷温水入口部分での温度を逐次検出し、
前記冷温水入口部分での検出温度が前記設定温度のうちのいずれかに到達する毎に、単位時間当たりの温度勾配を算出するとともに、その算出した温度勾配から前記最大高設定温度又は最大低設定温度に達するまでに要する時間を前記予測時間として演算し、かつ、前記予測時間に対応した運転台数の見直し時間の間隔を前記記憶手段に格納した、前記テーブルから割り出して、最適な運転台数に切替えるための運転台数の見直し時間の間隔を新たに決定し、
前記見直し時間の満了毎に、所定の判定基準に基づき運転台数を新たに決定する、
ことを特徴とする吸収冷温水機の運転台数制御方法。
【請求項２】
前記運転台数の見直し時間が満了する毎に運転台数を新たに決定するための、前記判定基準は、
冷房運転では、
（ｉ）温度勾配が下り勾配で、かつ、所定の基準温度に到達又はこれを下回っている場合に、運転台数を削減させるとともに、
（ｉｉ）温度勾配が上り勾配で、かつ、別の所定の基準温度に到達又はこれを上回っている場合に、運転台数を増加させるものであって、
暖房運転では、
（ｉｉｉ）温度勾配が下り勾配で、かつ、所定の基準温度に到達又はこれを下回っている場合に、運転台数を増加させるとともに、
（ｉｖ）温度勾配が上り勾配で、かつ、別の所定の基準温度に到達又はこれを上回っている場合に、運転台数を削減させるものである、
ことを特徴とする請求項１に記載の吸収冷温水機の運転台数制御方法。
【請求項３】
前記単位時間当たりの温度勾配の値は、隣接する前記複数段階の設定温度のうち、前記現在温度に至るまでの間で、前記最後に設定温度に到達した時刻と、最後に到達した設定温度の１つ前に通過した設定温度の通過時刻との間の時間差に基づき、算出するように構成した、ことを特徴とする請求項１又は２に記載の吸収冷温水機の運転台数制御方法。
【請求項４】
複数台の吸収冷温水機が配管を介して並列接続され、これらの吸収冷温水機に備えたスレーブマイコンをまとめて制御するメインマイコンを備えた吸収冷温水機の運転台数制御装置であって、
各吸収冷温水機に分岐する前の前記配管に、冷温水入口での現在温度を検出する温度検出手段を備えるとともに、
前記メインマイコンは、
前記温度検出手段により前記冷温水入口部分で検出した温度が、予め特定温度間隔で設定した複数段階の設定温度のうち最大高設定温度又は最大低設定温度に達するまでの予測時間と、運転台数の見直し時間の間隔との対応関係を示す、テーブルを予め決定して格納する記憶手段と、
前記温度検出手段が検出した配管の冷温水入口部分での温度データを逐次入力し、前記冷温水入口部分での検出温度が前記設定温度のうちのいずれかに到達する毎に、単位時間当たりの温度勾配を算出して、その算出した温度勾配から前記最大高設定温度又は最大低設定温度に達するまでに要する時間を前記予測時間として演算し、かつ、前記予測時間に対応した運転台数の見直し時間の間隔を前記記憶手段に格納した前記テーブルから割り出して、最適な運転台数に切替えるための運転台数の見直し時間の間隔を新たに決定するとともに、前記見直し時間の満了毎に、所定の判定基準に基づき運転台数を新たに決定する制御を行う制御手段と、を備えた、
ことを特徴とする吸収冷温水機の運転台数制御装置。
【請求項５】
前記メインマイコンの制御手段が、運転台数の見直し時間が満了する毎に運転台数を新たに決定するための、判定基準は、
冷房運転では、
（ｉ）温度勾配が下り勾配で、かつ、所定の基準温度に到達又はこれを下回っている場合に、運転台数を削減させるとともに、
（ｉｉ）温度勾配が上り勾配で、かつ、別の所定の基準温度に到達又はこれを上回っている場合に、運転台数を増加させるものであって、
暖房運転では、
（ｉｉｉ）温度勾配が下り勾配で、かつ、所定の基準温度に到達又はこれを下回っている場合に、運転台数を増加させるとともに、
（ｉｖ）温度勾配が上り勾配で、かつ、別の所定の基準温度に到達又はこれを上回っている場合に、運転台数を削減させるものである、ことを特徴とする請求項４に記載の吸収冷温水機の運転台数制御装置。
【請求項６】
前記単位時間当たりの温度勾配の値は、隣接する前記複数段階の設定温度のうち、前記現在温度に至るまでの間で、前記最後に設定温度に到達した時刻と、最後に到達した設定温度の１つ前に通過した設定温度の通過時刻との間の時間差に基づき、算出するように構成した、ことを特徴とする請求項４又は５に記載の吸収冷温水機の運転台数制御装置。
【発明の詳細な説明】
【技術分野】
【０００１】
本発明は、配管を介して複数台の吸収冷温水機を並列接続させ、これらの吸収冷温水機をまとめて制御する吸収冷温水機の台数制御方法及び装置に係り、特に、変化する熱負荷に対応して運転台数の見直し時間間隔を算出して変更させることにより、運転停止台数を最小限に抑制できる吸収冷温水機の運転台数制御方法及び装置に関するものである。
【背景技術】
【０００２】
吸収冷温水機において、複数台の冷温水機を台数制御する際、運転台数を需要側の熱負荷に適合するようにした制御方法が提案されている（例えば、特許文献１参照）。
【０００３】
即ち、この運転台数制御方法は、図１２に示すように、冷水または温水を供給する複数台の冷温水機１０１、１０１、…と、これら複数台の冷温水機に接続され、内部を冷水または温水が循環する冷温水循環系の配管１０７とを吸収冷温水機が有している。この吸収冷温水機では、各冷温水機の冷水または温水の入口温度を冷温水入口温度検出器１０２、１０２、…で検出し、さらに冷水または温水の出口温度を冷温水出口温度検出器１０３、１０３、…で検出する。そして、冷水または温水の出口温度と出口の平均温度との少なくとも何れかと、出入口温度差とに基づいて冷温水機の運転台数を制御する。
【０００４】
具体的には、冷暖房機１０８の熱負荷の変動や外気温などの変動に応じて、各冷温水機１０１での冷温水入口温度検出器１０２で検出した冷水または温水の入口温度と、冷温水出口温度検出器１０３で検出した各冷温水機の冷水または温水の出口温度と、冷水または温水の出口温度と出口の平均温度と、の少なくとも何れかと、出入口温度差とに基づいて運転台数を制御するため、各冷温水機１０１に分岐された冷温水循環系の配管１０７上にポンプ１０６を設置しており、このポンプ１０６の運転動作をスレーブマイコン１０４で制御するとともに、各スレーブマイコン１０４の制御をメインマイコン１０５で制御する
ように構成されている。
【先行技術文献】
【特許文献】
【０００５】
【特許文献１】特開平１１−３０４２７８号公報
【発明の概要】
【発明が解決しようとする課題】
【０００６】
ところで、上記の運転台数制御方法にあっては、冷温水の過冷却（冷房時）や過加熱（暖房時）を防止し、各冷温水機の運転時間を平準化することを目的としている。このため、複数台の冷温水機をグルーピングして同時に停止または運転制御したり、各冷温水機の運転時間を監視し、運転時間が長い冷温水機順に停止の優先順位を設定したり、運転時間が最も短い冷温水機をベースロード機として運転の優先機に設定するような構成となっている。
【０００７】
しかしながら、負荷変動の大きさや保有水量の増減により台数制御の間隔の最適値は変動することがあるが、上記のような台数制御では、これらの状況に対して対応がなされていなかった。例えば、負荷の変動が発生した場合に、台数の減少の間隔（予め決定されて固定されている）の設定値が小さすぎると、運転台数が急激に減少し、冷温水入口温度が安定に達するまでの時間が長くなることがおきる。また、その設定値が大きすぎると、台数制御が遅く負荷変動後の冷温水出入口温度の急激な低下（アンダーシュート）が抑えきれない。その結果、例えば図１０に細線で示すように、従来の制御では、運転停止台数が過剰に停止することがあった。台数制御などにより一旦燃焼停止となると、再起動後に能力が発揮するまでに時間がかかり、運転効率にロスが生じる。
【０００８】
そこで、本願発明は、上記した事情に鑑み、熱負荷の状態に見合った最適な台数で運転するようにその運転台数の見直しのための時間間隔を随時新たに決定し直して最適な値に制御し、これによって冷温水の温度の可及的な安定化を図り、延いては運転効率を高めることができる、吸収冷温水機の運転台数制御方法及び装置を提供することを目的とするものである。
【課題を解決するための手段】
【０００９】
上記の目的を達成するため、
（１）本発明の吸収冷温水機の運転台数の制御方法は、
複数台の吸収冷温水機が配管を介して並列接続され、前記各吸収冷温水機に備えたスレーブマイコンをまとめて制御するマスタマイコンを備えた吸収冷温水機の運転台数の制御方法であって、
前記配管の冷温水入口部分で検出した温度が、予め特定温度間隔で設定した複数段階の設定温度のうち最大高設定温度又は最大低設定温度に達するまでの予測時間と、運転台数の見直し時間の間隔との対応関係を示す、テーブルを予め決定し、
前記配管の冷温水入口部分での温度を逐次検出し、
前記冷温水入口部分での検出温度が前記設定温度のうちのいずれかに到達する毎に、単位時間当たりの温度勾配を算出するとともに、その算出した温度勾配から前記最大高設定温度又は最大低設定温度に達するまでに要する時間を前記予測時間として演算し、かつ、前記予測時間に対応した運転台数の見直し時間の間隔を前記記憶手段に格納した、前記テーブルから割り出して、最適な運転台数に切替えるための運転台数の見直し時間の間隔を新たに決定し、
前記見直し時間の満了毎に、所定の判定基準に基づき運転台数を新たに決定する、
ことを特徴とする。
【００１０】
（２）上記（１）の吸収冷温水機の運転台数の制御方法において、
前記運転台数の見直し時間が満了する毎に運転台数を新たに決定するための、前記判定基準は、
冷房運転では、
（ｉ）温度勾配が下り勾配で、かつ、所定の基準温度に到達又はこれを下回っている場合に、運転台数を削減させるとともに、
（ｉｉ）温度勾配が上り勾配で、かつ、別の所定の基準温度に到達又はこれを上回っている場合に、運転台数を増加させるものであって、
暖房運転では、
（ｉｉｉ）温度勾配が下り勾配で、かつ、所定の基準温度に到達又はこれを下回っている場合に、運転台数を増加させるとともに、
（ｉｖ）温度勾配が上り勾配で、かつ、別の所定の基準温度に到達又はこれを上回っている場合に、運転台数を削減させるものである、
ことを特徴とする。
【００１１】
（３）上記（１）又は（２）の吸収冷温水機の運転台数の制御方法において、
前記単位時間当たりの温度勾配の値は、隣接する前記複数段階の設定温度のうち、前記現在温度に至るまでの間で、前記最後に設定温度に到達した時刻と、最後に到達した設定温度の１つ前に通過した設定温度の通過時刻との間の時間差に基づき、算出するように構成した、
ことを特徴とする。
【００１２】
また、上記の目的を達成するため、
（４）本発明の吸収冷温水機の運転台数制御装置は、
複数台の吸収冷温水機が配管を介して並列接続され、これらの吸収冷温水機に備えたスレーブマイコンをまとめて制御するメインマイコンを備えた吸収冷温水機の運転台数制御
装置であって、
各吸収冷温水機に分岐する前の前記配管に、冷温水入口での現在温度を検出する温度検出手段を備えるとともに、
前記メインマイコンは、
前記温度検出手段により前記冷温水入口部分で検出した温度が、予め特定温度間隔で設定した複数段階の設定温度のうち最大高設定温度又は最大低設定温度に達するまでの予測時間と、運転台数の見直し時間の間隔との対応関係を示す、テーブルを予め決定して格納する記憶手段と、
前記温度検出手段が検出した配管の冷温水入口部分での温度データを逐次入力し、前記冷温水入口部分での検出温度が前記設定温度のうちのいずれかに到達する毎に、単位時間当たりの温度勾配を算出して、その算出した温度勾配から前記最大高設定温度又は最大低設定温度に達するまでに要する時間を前記予測時間として演算し、かつ、前記予測時間に対応した運転台数の見直し時間の間隔を前記記憶手段に格納した前記テーブルから割り出して、最適な運転台数に切替えるための運転台数の見直し時間の間隔を新たに決定するとともに、前記見直し時間の満了毎に、所定の判定基準に基づき運転台数を新たに決定する制御を行う制御手段と、を備えた、
ことを特徴とする。
【００１３】
（５）上記（４）の吸収冷温水機の運転台数の制御装置において、
前記メインマイコンの制御手段が、運転台数の見直し時間が満了する毎に運転台数を新たに決定するための、判定基準は、
冷房運転では、
（ｉ）温度勾配が下り勾配で、かつ、所定の基準温度に到達又はこれを下回っている場合に、運転台数を削減させるとともに、
（ｉｉ）温度勾配が上り勾配で、かつ、別の所定の基準温度に到達又はこれを上回っている場合に、運転台数を増加させるものであって、
暖房運転では、
（ｉｉｉ）温度勾配が下り勾配で、かつ、所定の基準温度に到達又はこれを下回っている場合に、運転台数を増加させるとともに、
（ｉｖ）温度勾配が上り勾配で、かつ、別の所定の基準温度に到達又はこれを上回っている場合に、運転台数を削減させるものである、
ことを特徴とする。
【００１４】
（６）上記（４）又は（５）の吸収冷温水機の運転台数の制御装置において、
前記単位時間当たりの温度勾配の値は、隣接する前記複数段階の設定温度のうち、前記現在温度に至るまでの間で、前記最後に設定温度に到達した時刻と、最後に到達した設定温度の１つ前に通過した設定温度の通過時刻との間の時間差に基づき、算出するように構成した、
ことを特徴とする。
【００１５】
上記（１）の吸収冷温水機の運転台数の制御方法によれば、冷温水入口部分での検出温度に応じて運転台数の見直しのための時間間隔を随時新たに決定し直して変更させることで、常時、熱負荷の状態に見合った最適な台数で運転するように制御するので、冷温水の温度の安定化を図り、延いては運転効率を高めることができる。
【００１６】
上記（２）の吸収冷温水機の運転台数の制御方法によれば、所定の判定基準に基づき最適な台数で運転制御できるので、冷温水の温度の安定化を図り、延いては運転効率を高めることができる。
【００１７】
上記（３）の吸収冷温水機の運転台数の制御方法によれば、簡単な方法で単位時間当たりの温度勾配が算出できる。
【００１８】
また、上記（４）の吸収冷温水機の運転台数の制御装置によれば、メインマイコンの制御手段が冷温水入口部分での検出温度に応じて運転台数の見直しのための時間間隔を随時新たに決定し直して変更させることで、熱負荷の状態に見合った最適な台数で運転するように各吸収冷温水機のスレーブマイコンを制御するので、冷温水の温度の安定化を図り、延いては運転効率を高めることができる。
【００１９】
上記（５）の吸収冷温水機の運転台数の制御装置によれば、メインマイコンが所定の判定基準に基づき最適な台数で運転するようにスレーブマイコンを制御しており、これによって冷温水の温度の安定化を図り、延いては運転効率を高めることができる。
【００２０】
上記（６）の吸収冷温水機の運転台数の制御装置によれば、簡単に単位時間当たりの温度勾配が算出できる。
【発明の効果】
【００２１】
本発明の吸収冷温水機の台数制御方法は、熱負荷の変動に応じて運転台数の見直しのための時間間隔を随時新たに決定し直して変更させることで、熱負荷の状態に見合った最適な運台数を随時新たに決定し直して運転制御することが可能になるので、冷温水の温度の安定化を図り、延いては運転効率を高めることができ、省エネの点で好都合であるという利点がある。
【図面の簡単な説明】
【００２２】
【図１】本発明に係る吸収冷温水機の台数制御装置の概略構成を示した説明図である。
【図２】図１の吸収冷温水機の台数制御装置の一部を構成する各吸収冷温水機の構成を示した概略図である。
【図３】（Ａ）は図２に示す各吸収冷温水機を制御するスレーブマイコンの構成を示す概略ブロック図、（Ｂ）はメインマイコンの構成ブロック図である。
【図４】温度下り勾配の場合における本実施形態に係る台数制御方法を示すフローチャートである。
【図５】本実施形態に係る台数制御方法における下り温度勾配での予測時間の算出手順を示した原理説明図である。
【図６】同じく、本実施形態に係る台数制御方法における下り温度勾配での予測時間の算出手順を示した原理説明図である。
【図７】温度下り勾配の場合における本実施形態に係る台数制御方法を示すフローチャートである。
【図８】本実施形態に係る台数制御方法における上がり温度勾配での予測時間の算出手順を示した原理説明図である。
【図９】同じく、本実施形態に係る台数制御方法における上がり温度勾配での予測時間の算出手順を示した原理説明図である。
【図１０】本実施形態に係る台数制御方法を適用した見直し時間間隔及び運転台数を具体的に示した説明図である。
【図１１】本発明に係る吸収冷温水機の台数制御装置の変形例の構成を示した説明図である。
【図１２】従来の台数制御方法に用いる吸収冷温水機の台数制御装置の構成を示した説明図である。
【発明を実施するための形態】
【００２３】
以下、本発明の実施形態について、添付図面を参照しながら詳細に説明する。
【００２４】
図１は、本発明の実施形態に係る吸収冷温水機の運転台数制御方法が用いられた運転台数制御装置を示すものであり、この運転台数制御装置は、複数台（本実施形態では最大５台）の吸収冷温水機Ａ〜Ｅを並列接続させて一括制御するようになっている。
【００２５】
また、本実施形態の運転台数制御装置には、最大５台の冷暖房機２０Ａ〜２０Ｅが後述する配管０を介して並列接続されており、これらの冷暖房機２０Ａ〜２０Ｅの運転は使用者によるスイッチ操作（いずれも図示しない）で行うように構成されている。なお、ここでは、説明を簡単にするため、各吸収冷温水機Ａ〜Ｅは、全て同じ構成のものを用いているものとする。また、各冷暖房機２０Ａ〜２０Ｅについても、同様に全て同じ構成のものを用いているものとする。
【００２６】
即ち、本実施形態の台数制御装置は、吸収冷温水機Ａ〜Ｅと、冷暖房機２０Ａ〜２０Ｅと、メインマイコン３０と、このメインマイコン３０によって制御されるスレーブマイコン４０Ａ〜４０Ｅと、吸収冷温水機Ａ〜Ｅと冷暖房機２０Ａ〜２０Ｅとの間を循環するように配設された配管７０と、この配管７０から分岐される個別配管７０Ａ〜７０Ｅよりも上流側の配管７０の、温冷水入口部分に設置された温度計５０と、個別配管７０Ａ〜７０Ｅにそれぞれ設置されたポンプ６０Ａ〜６０Ｅなどと、を備えている。
【００２７】
なお、このメインマイコン及びスレーブマイコンなどによる各吸収冷温水機Ａ〜Ｅの具体的な運転台数制御方法については、後述する。
【００２８】
図２は、図示しない室内ユニットに冷水または温水を熱操作流体として循環供給して冷暖房などを行うことのできる、二重効用吸収式冷凍機からなる本発明の吸収冷温水機Ａの構成図であり、冷媒に水を、吸収液に臭化リチウム（ＬｉＢｒ）水溶液を使用している。なお、上述したように、各吸収冷温水機Ａ〜Ｅは、全て同一構成のものとしているので、ここでは吸収冷温水機Ａのみについて説明する。
【００２９】
図２に示す吸収冷温水機Ａにおいて、１はガスバーナ１Ｂを備えた高温再生器、２は低温再生器、３は凝縮器、４は蒸発器、５は吸収器、６は低温熱交換器、７は高温熱交換器、８〜１１は吸収液管、１２は内部に湛えた冷水を冷却させるファン８０を備え冷却水が循環する後述の冷却水配管２３の一部に設置された冷却塔、１３は吸収液ポンプ、１４〜１８は冷媒配管、１９は冷媒ポンプ、２２は図示しない室内ユニットに循環供給する冷熱または温熱を循環供給する冷水または温水が流れ、途中に伝熱管４Ａを備えた冷温水配管、２３は途中に伝熱管５Ａおよび伝熱管３Ａを備えた冷却水配管、２４はガスバーナ１Ｂに接続されたガス供給管、２５はガス供給管２４の途中に設けられてガスバーナ１Ｂに供給するガス量を制御し、発熱量すなわち高温再生器１に投入する熱量を制御する入熱制御弁、２６はこの入熱制御弁の開度を調節するための制御弁モータ、２７〜２９は開閉弁であり、これらの機器はそれぞれ図２に示したように配管接続されており、この構成自体は従来周知である。
【００３０】
なお、個別配管７０Ａには、冷暖房機２０（図１において、冷暖房機２０Ａに対応する）で構成される室内ユニットに循環供給する冷熱または温熱を循環供給する冷水または温水が流れており、途中に伝熱管４Ａを備えた配管（以下、冷温水配管２２とよぶ）を構成
している。
【００３１】
また、本実施形態の吸収冷温水機Ａには、上記の各構成部品の他に、上述のスレーブマイコン４０Ａと、個別配管７０Ａに設置したポンプ６０Ａと、冷却水を循環させるために冷却水配管２３の一部に設置したポンプ９０Ａ等を備えている。
【００３２】
スレーブマイコン４０Ａは、図３（Ａ）に示すように、メインマイコン３０によって制御されるＣＰＵ４１Ａと、インターフェース４２Ａなどを備えており、ファン８０、各開閉弁２７〜２９、及び各ポンプ６０Ａ、ポンプ９０Ａ等の作動を制御する制御信号を上記のものへ出力させる。
【００３３】
また、メインマイコン３０は、図３（Ｂ）に示すように、各スレーブマイコン４０のＵＰＵを制御するメインＣＰＵ３１と、インターフェース３２と、後述する相関表などを格納保存したメモリ３３などを備えている。
【００３４】
そして、上記構成の二重効用吸収冷温水機において、開閉弁２７・２８・２９を閉じ、冷却水配管２３に冷却水を流し、ガスバーナ１Ｂに点火して高温再生器１で吸収液（即ち、臭化リチウム（ＬｉＢｒ）水溶液）を加熱すると、吸収液から蒸発分離した冷媒蒸気（即ち、水蒸気）と、冷媒蒸気を分離して吸収液の濃度が高くなった中間吸収液とが得られる。
【００３５】
高温再生器１で生成された高温の冷媒蒸気は、冷媒配管１４を通って低温再生器２に入り、高温再生器１で生成され吸収液管９により高温熱交換器７を経由して低温再生器２に入った中間吸収液を加熱して放熱凝縮し、凝縮器３に入る。
【００３６】
また、低温再生器２で加熱されて中間吸収液から蒸発分離した冷媒は、凝縮器３へ入り、冷却水配管２３を介して供給され伝熱管３Ａの内部を流れる水と熱交換して凝縮液化し、冷媒配管１４から凝縮して供給される冷媒と一緒になって、冷媒配管１５を通って蒸発器４に入る。
【００３７】
蒸発器４に入って冷媒液溜りに溜まった冷媒液は、冷温水配管２２に接続された伝熱管４Ａの上に冷媒ポンプ１９によって散布され、冷温水配管２２を介して供給される水と熱交換して蒸発し、伝熱管４Ａの内部を流れる水を冷却する。
【００３８】
そして、蒸発器４で蒸発した冷媒は、吸収器５に入り、低温再生器２で加熱されて冷媒を蒸発分離し吸収液の濃度が一層高まった吸収液、すなわち吸収液管１０により低温熱交換器６を経由して供給され上方から散布される濃吸収液、に吸収される。
【００３９】
吸収器５で冷媒を吸収して濃度の薄くなった吸収液、すなわち稀吸収液は、吸収液ポンプ１３の運転により、低温熱交換器６・高温熱交換器７を経由して高温再生器１へ吸収液管８から送られる。
【００４０】
上記のように吸収冷温水機の運転が行われると、蒸発器４の内部に配管された伝熱管４Ａにおいて冷媒の気化熱によって冷却された冷水が、冷温水配管２２を介して冷暖房機２０で構成される室内ユニットに循環供給できるので、冷房運転などが行える。
【００４１】
一方、開閉弁２７・２８・２９を開け、冷却水配管２３に冷却水を流さないでガスバーナ１Ｂに点火して高温再生器１で稀吸収液を加熱すると、高温再生器１で稀吸収液から蒸発した冷媒（即ち、水蒸気）は、冷媒配管１４の途中から主に流路抵抗の小さい冷媒配管１７を通って吸収器５・蒸発器４に入り、冷温水配管２２から供給される水と伝熱管４Ａを介して熱交換して凝縮し、主にこのときの凝縮熱によって伝熱管４Ａの内部を流れる水が加熱される。
【００４２】
蒸発器４で加熱作用を行って凝縮した冷媒（即ち、水）は、冷媒配管１８を通って吸収器５に入り、高温再生器１で冷媒を蒸発分離して吸収液管１１から流入する吸収液（即ち、臭化リチウム（ＬｉＢｒ）水溶液）と混合され、吸収液ポンプ１３の運転によって低温熱交換器６・高温熱交換器７を経て高温再生器１へ送られる。
【００４３】
そして、蒸発器４内部の伝熱管４Ａで加熱されていた温水は、冷温水配管２２を介して室内ユニットである冷暖房機２０に循環供給されることにより、暖房運転などが行なわれる。
【００４４】
次に、本発明の実施形態に係る台数制御装置による吸収冷温水機の運転台数制御方法の基本原理について、図４乃至図６、及び図７乃至図９を参照しながら詳細に説明する。また、ここでは、説明を分かりやすくするため、冷（温）水入口温度変化が単純な下がり勾配（例えば、吸収式冷凍機を冷房用として作動させる等において、熱負荷が下がっている
）場合、及び上り勾配の場合について、それぞれ分けて説明する。また、ここでは、説明を簡単にするために冷房運転として説明するが、暖房運転であっても同様の手順が行われる。
【００４５】
本実施形態では、図５に示すように、（基準）設定温度θ0を中心にして、上下＋／−０．４℃の刻み間隔で、演算上の設定最高温度（ＸH）及び設定最低温度（ＸL）まで各段階での設定温度（℃）が設定されており、この刻み温度間隔の各設定温度に基づいて温度勾配（ΔＴ）を算出するようになっている。なお、ここでは、設定温度θ-1（＝（基準）設定温度θ0−０．４℃）及び設定温度θ-2（＝（基準）設定温度θ0−０．８℃）の温度を、それぞれ「第１基準温度」、「第２基準温度」と呼び、設定温度θ+1（＝（基準）設定温度θ0＋０．４℃）及び設定温度θ+2（＝（基準）設定温度θ0＋０．８℃）の温度を、それぞれ「第３基準温度」、「第４基準温度」、と呼ぶことにする。また、この冷房運転での標準温度は、予め「（基準）設定温度」として例えば７℃に初期設定されているものとするが、必要があればユーザの操作で設定温度が自由に設定変更な構成となっている。
【００４６】
ここでは、吸収冷温水機Ａ〜Ｅでの冷房運転開始時刻が例えば午前９時であって、その開始時刻から温度計５０により検出された冷水入口での温度（以下、「入口温度」とよぶ）が運転台数見直し用の基礎データとして考慮・反映されるように設定されているものとする。
【００４７】
（Ｉ）温度下がり勾配の場合；
例えば、吸収冷温水機Ａ〜Ｅが全台運転を開始するとともに、当初はすべての冷暖房機２０Ａ〜２０Ｅを（冷房）運転させるものとし、その直後の時刻Ｔ1での入口温度が第３基準温度θ+1（図５において、ｂ点参照）であるとする（図４において、第１ステップＳ１）。
【００４８】
この状態において、温度計５０での計測温度がメインマイコン３０のＣＰＵに入力されることにより、入口温度が１段低い温度、つまり（基準）設定温度θ0になるまでの時間（つまり、時刻Ｔ2−Ｔ1）を計時する（第２ステップＳ２）。
【００４９】
例えば、その時刻Ｔ2での（基準）設定温度θ0の点ｃと上記点ｂとの２点を予めメモリ内に保存されている温度時間経過図である図６中の所定点にプロットするとともに、これら２点間を結ぶ線分（これを、「温度時間直線α1」とよぶ）をそのまま延長させることで最大低設定温度ＸLでの交点ｃ´を求め、温度時間予測線（α1´）を作成する。これによって、時刻Ｔ2から、予測時間を構成する最大低設定温度ＸLになるまでの（閾値用）時間（つまり、β1）を算出する（第３ステップＳ３）。
【００５０】
このようにして幅間隔（β1）が算出されたならば、幅間隔（β）とこれに対応する見直し時間間隔（ｔ）との相関を示す、予め決定された下記の［表１］（これを「相関表」とよぶ）から、見直し時間間隔（α）の具体的な時間（ここでは、単位が「分」である）を割り出す。この割り出し作業は、以下のようにして行う。即ち、メインマイコン３０の各ＣＰＵによって、図６に示す幅間隔（β1）が算出されると、メインマイコン３０のメモリに格納されている相関表によって、上記幅間隔（β1）が属するグループがどれになるかを見つけ出す。
【００５１】
【表１】
2012007871.tif 000003
【００５２】
例えば、第４ステップＳ４では、上記幅間隔（β1）が、次の第１の判別式、
β1＜ｔ1
但し、ｔ1＝８
を満たすか否かを判断する。例えば、ここではβ1＝６であるとすると、この場合には、第１の判別式を満足するので、第５ステップＳ５に移行する。
【００５３】
この第５ステップＳ５では、相関表である［表１］の上段欄である幅間隔（β）におけるβ1＝６は、下段欄である見直し時間間隔（α）において最も左端のグループ（Ｇ1）に属するので、次の見直し時間間隔は５分（後）と割り出すことができる。
【００５４】
なお、ここでは、たまたま第１番目の判断で第１の判別式を満たしていたが、もしこれを満たしていない場合には、次の第６ステップＳ６において、第２番目の第２の判別式、
β1＜ｔ2
を満たすか否かを判断し、これを満たしている場合には、第７ステップＳ７に移行する。この第７ステップＳ７では、相関表である［表１］の下段欄の第２グループ（Ｇ2）に属することから、次の見直し時間間隔は２０分であることが割り出される。
【００５５】
一方、第２の判別式を満たしていないと判断した場合には、次の第８ステップＳ８へ移行する。この第８ステップＳ８では、第３番目の第３の判別式、
β1＜ｔ3
を満たすか否かを判断し、これを満たしている場合には第９ステップＳ９へ移行する。この第９ステップＳ９では、相関表である［表１］の下段欄の第３グループ（Ｇ3）に属することから、次の見直し時間間隔は３５分であることが割り出される。
【００５６】
一方、これを満たしていないと判断した場合には、次の第１０ステップＳ１０へ移行し、第４番目の第４の判別式
β1＜ｔ4
を満たすか否かを判断し、これを満たしている場合には第１１ステップＳ１１へ移行する。この第１１ステップＳ１１では、相関表である［表１］の下段欄の第４グループ（Ｇ4）に属することから、次の見直し時間間隔は５０分であることが割り出される。
【００５７】
一方、第４の判別式を満たしていないと判断した場合には、次の第１２ステップＳ１２へ移行する。この第１２ステップＳ１２では、相関表である［表１］の下段欄の第５グループ（Ｇ5）に属することから、次の見直し時間間隔は６５分であることが割り出される。
【００５８】
（ＩＩ）温度上がり勾配の場合；
次に、入口温度変化が単純な上がり勾配（但し、この場合にも、吸収式冷凍機を冷房用として作動させるものとし、ここでは、熱負荷が上がっている）の場合について説明する。
【００５９】
例えば、ある時刻Ｔ0に、吸収冷温水機Ａ〜Ｅのうちの何台かが運転中で、かつ、冷暖房機２０Ａ〜２０Ｅのうち何台かのものが使用者のスイッチ操作で運転しているものとし、その直後の時刻Ｔ1にて冷水入口で検出した入口温度が第１基準温度θ-1に一致している（図８中の点ｅ）とする（図７において、第１ステップＳ２１）。
【００６０】
吸収冷温水機の運転動作中において、温度計５０での検出温度（計測温度）についてのデータがメインマイコン３０のＣＰＵ３１に入力されることにより、入口温度が１段高い温度、つまり（基準）設定温度θ0になるまでの時間（つまり、時刻Ｔ2）を計時する（第２ステップＳ２２）。
【００６１】
ここで、先に説明した下り勾配の場合と同様の手順によって、温度時間直線γ2をそのまま延長させ最終段階の設定温度、つまり最大高設定温度ＸHでの交点ｆ´（図９参照）を求めて温度時間予測線（γ2´）を作成し、予測時間を構成する、最大高設定温度ＸHになるまでの（閾値用）時間（つまり、δ1）を算出する（第３ステップＳ２３）。
【００６２】
この幅間隔（δ1）が算出されたならば、上述の［表１］と同様に予めされて格納されていた図示しない（上り勾配用の）相関表から、見直し時間間隔（α）の具体的な時間（単位が「分」である）を割り出す。この割り出し作業は、上述の下り勾配の場合と同様の手順、即ち、以下のようにして行う。即ち、メインマイコン３０のＣＰＵによって、図９に示す幅間隔（δ1）が算出されると、メモリに格納されている図示しない（上り勾配用の）相関表によって、上記幅間隔（δ1）が属するグループがどれになるかを見つけ出す。なお、この割り出し作業は、上述の下り勾配の場合と同様の手順により、図７において、第４ステップＳ２４〜第１２ステップＳ３２に沿って行う。
【００６３】
本発明の実施形態に係る台数制御装置による吸収冷温水機の台数制御方法では、以上のような手順が、逐次、毎回繰り返されていく。これによって、運転すべき台数の見直し時間（の間隔）が、上記のように入口温度が設定温度（θ+2〜θ-2）のいずれかに達する毎に（例えば、図６，９のように各設定時間をクロスするタイミングで）、換言すれば、熱負荷に応じて適宜に変化する時間間隔で、最適な見直し時間が上記の［表１］での割り出しにより、新たに決定されて変更又は更新されていく。
【００６４】
一方、本発明の実施形態に係る台数制御装置における運転台数の制御では、最新の見直し時間が満了する毎に、下記の［表２］に記載の「判定基準」に従って新たに運転台数が決定される。具体的には、１台の運転を停止、又は開始、あるいは現状の運転台数を持続させる、という３種類の動作のいずれかが、メインマイコン３０から指示されるように制御されている。即ち、見直し時間が丁度経過したときに、実際に温度センサ５０で計測された入口温度が、判定基準を満たしている場合にのみ吸収冷温水機の運転台数を１台停止又は再開させるものであって、その判定基準を満たさない場合には、現状の運転台数が維持されるわけである。
【００６５】
【表２】
2012007871.tif 000004
【００６６】
また、本発明の運転台数制御方法では、このような運転台数の増減または維持についての決定は、勿論、上記のような方法に限定されるものではなく、各種の適正な方法に沿って台数の増減・維持を決定することが可能である。
【００６７】
次に、室内ユニットである冷暖房機２０Ａ〜２０Ｅでの冷房運転での運転台数制御方法について、図１０を参照しながら具体的に説明する。なお、ここでは説明を簡単するため冷房運転の場合について説明していくが、本発明の制御方法では、暖房運転でも特に手順が異なるものではなく、同様に行うことができる（即ち、本実施形態では、暖房運転の場合でも上記の冷房運転の場合の台数の増減・維持の判断と同様に、［表２］の判定基準に従う）。
【００６８】
冷暖房機２０Ａ〜２０Ｅでの冷房運転のために、当初（時刻Ｔ0）は、吸収冷温水機Ａ〜Ｅの全台で、かつ、４０分での運転台数見直し時間の条件下で、運転を開始するものとする。また、そのときの検出温度が（基準）設定温度θ0であったものとする。
（ｉ）時刻Ｔ0〜Ｔ2（図１０では点ア）；
ここで、時刻Ｔ1からの負荷の急激な変化によって、入口温度（θ）について、１段階下の設定温度である第１基準温度θ-1（＝θ0−０．４℃）が、時刻Ｔ2に検出される。そこで、ここで直ちに、運転台数の"見直し時間間隔の算出作業"が行われる。そして、前述した演算処理及び所定の相関表から、例えば、見直し時間（間隔）が２０分に直ちに変更される。このようにして、時刻Ｔ2からは、この見直し時間２０分での条件下で、本発明に係る台数運転制御を行う。
【００６９】
また、この時刻Ｔ2（ここでは、たまたま見直し時間の変更時刻Ｔ2と一致している）は、当初の４０分での見直し時間の最初の満了時刻であるので、"運転台数の見直し作業"も行われる。この運転台数の見直し判定作業は、上述したように、入口温度と［表２］の判断基準との双方に基づいて行われる。具体的には、冷房運転中での入口温度が下り勾配であり、運転台数見直し時刻Ｔ2（図１０では点ア）での入口温度が第１基準温度θ-1ある。ここで、［表２］において、下り勾配の場合には、入口温度が降下して第１基準温度（＝θ-1）に到達するかこれを下回っていれば（第１基準）、"１台運転減"とのメインマイコン３０からの指示・判断に従い、この時刻Ｔ2からは運転台数を１台減らして４台での運転となる。
（ｉｉ）時刻Ｔ2〜Ｔ3（図１０では点イ）；
次に、この見直し時間２０分での条件下で、本発明に係る台数運転制御を行う。そして、時刻Ｔ2（図１０では点ア）から次の２０分の満了時、つまり時刻Ｔ3（図１０では点イ）が到達した時点で、次の運転台数の見直し作業を行う。
【００７０】
即ち、ここでは、前回と同様に、具体的には、冷房運転中での入口温度が下り勾配であり、運転台数見直し時刻Ｔ3（図１０では点イ）での入口温度が第２基準温度θ-2（＝θ0−０．８℃）である。一方、［表２］において、下り勾配の場合には、入口温度が降下して第１基準温度θ-1に到達するかこれを下回っていれば（第１基準）、"１台運転減"となるが、ここではその第１基準温度を下回った第２基準温度θ-2が検出された温度である。従って、この時刻Ｔ3からは運転台数を１台削減して、３台の吸収冷温水機での冷房運転が行われる。
【００７１】
なお、この時刻Ｔ2〜Ｔ3までの時間中には、次の一目盛分の低下温度（又は上昇温度）である、入口温度が第２基準温度θ-2に到達していないので、運転台数の"見直し時間間隔の算出作業"が行われることはない。
（ｉｉｉ）時刻Ｔ3〜Ｔ4（図１０では点ウ）；
さらに、上記した１段階下の設定温度である、第２基準温度θ-2が時刻Ｔ3〜Ｔ4までの時間に検出（ここでは、時刻Ｔ4にちょうど検出）されたので、この第２基準温度θ-2に到達した時点で、直ちに運転台数の"見直し時間間隔の算出作業"が行われる。これにより、直ちに上述した演算処理及び所定の相関表から、例えば見直し時間が５０分に変更される。即ち、この時刻Ｔ4からは、５０分での条件下で、本発明に係る台数運転制御を行う。
【００７２】
また、この時刻Ｔ4には、２度目の見直し時間２０分も満了するので、運転台数の見直し作業も行われる。即ち、ここでは、検出された温度が、第１基準温度θ-1を下回った、第２基準温度θ-2である（［表２］により、第１基準を満たす）。従って、この時刻Ｔ3からは運転台数を１台削減して、２台の吸収冷温水機での冷房運転が行われる。
【００７３】
（ｉｖ）時刻Ｔ4〜Ｔ5（図１０では点エ）；
ここでは、負荷が反転して増大し始め、温度勾配も上昇を始めるが、５０分の時間経過の時刻Ｔ5のところで、ちょうど１段階上の設定温度θ-1（＝θ0−０．４℃）が検出されている。すると、ここで直ちに前述した演算処理及び所定の（上り勾配用の）相関表から、例えば見直し時間が新たに割り出される。この場合には現行の見直し時間の５０分が割り出される。このようにして、時刻Ｔ5からも、この見直し時間５０分での条件下で、引き続き台数運転制御が行われる。
【００７４】
なお、時刻Ｔ5には最初の見直し時間の５０分が満了するので、運転台数の見直し作業も行われる。但し、この満了時点（時刻Ｔ5）では、設定温度が第１基準温度θ-1である。従って、［表２］に示すように、上り勾配での入口温度が第３基準温度（＝θ+1）に到達又はこれを上回っていれば１台運転増という、第２基準を満たさないので、運転台数の増加は行わずに２台での運転が維持される。
【００７５】
（ｖ）時刻Ｔ5〜Ｔ6（図１０では点オ）；
同様に、次の５０分の時間経過の満了する時刻Ｔ6のところで、ちょうど１段階上の温度θ0が検出されたとすると、前回と同様に、見直し時間が新たに割り出される。この場合にも現行の見直し時間の５０分が所定の演算によって割り出され、時刻Ｔ6からも、この見直し時間５０分での条件下で、引き続き台数運転制御が行われる。なお、この５０分の２回目の見直し時間の満了する時刻Ｔ6のところでは、運転台数の見直し作業も行われるが、入口温度が第３基準温度（＝θ+1）に到達又はこれを上回っていれば１台運転増といる、第２基準を満たしていない。従って、運転台数は増加することなく、そのまま現状の台数が維持される。
【００７６】
（ｖｉ）時刻Ｔ6〜Ｔ7（図１０では点カ）；
また、３回目の５０分の見直し時間の満了する時刻Ｔ7では、１段階上の設定温度θ+1（＝θ0＋０．４℃）に到達したことが検出されるので、見直し時間が新たに算出される。この場合には、現行の見直し時間の５０分が割り出され、時刻Ｔ7からもこの見直し時間５０分での条件下で、引き続き台数運転制御が行われる。
【００７７】
また、この２回目の５０分の見直し時間の満了する時刻Ｔ7では、前回の運転台数の見直し作業時刻（Ｔ6）から、見直し時間の５０分が経過したので、運転台数の見直し作業も行われる。即ち、［表２］に示すように、上り勾配での設定温度が第３基準温度（＝θ+1）に到達又はこれを上回っていれば１台運転増という、第２基準を満たしているので、運転台数の増加が行われ、１台増加させた３台での運転に変更される。
【００７８】
（ｖｉｉ）時刻Ｔ7〜Ｔ8（図１０では点キ）；
さらに、次の５０分の時間経過の満了時の時刻Ｔ8で、同様に、運転台数の見直し作業が行われる。この場合には、入口温度が第３基準温度θ+1（＝θ0＋０．４℃）に到達していたことが検出されるので、［表２］に示す第２基準を満たしており、運転台数を１台増加させた４台での運転に変更される。
【００７９】
（ｖｉｉｉ）時刻Ｔ8〜Ｔ9（図１０では点ク）；
ここでは、負荷が再び反転して減少し始め、時刻Ｔ8（図１０では点キ）から温度勾配も下降を始めるが、時刻Ｔ8から次の５０分の時間経過満了前の時刻Ｔ9（図１０では点ク）のところで、設定温度θ+1が検出されている。従って、この時刻Ｔ9でも、運転台数の"見直し時間間隔の算出作業"が行われる。そして、直ちに前述した演算処理及び所定の相関表から、例えば、見直し時間（間隔）が５０分が割り出される。このようにして、時刻Ｔ9からも、この見直し時間５０分での条件下で、本発明に係る台数運転制御を行う。なお、この時刻Ｔ8〜Ｔ9での時間内には、見直し時間の５０分が満了することがないので、運転台数の見直し作業は行われない。
【００８０】
（ｉｘ）時刻Ｔ9〜Ｔ10（図１０では点ケ）；
そして、時刻Ｔ9から次の５０分の時間がちょうど満了する時刻Ｔ10のところで、（基準）設定温度θ0が検出されている。従って、この時刻Ｔ10でも、運転台数の"見直し時間間隔の算出作業"が行われる。そして、直ちに前述した演算処理及び所定の（下り勾配用の）相関表から、例えば見直し時間（間隔）の３５分が割り出される。このようにして、次の時刻Ｔ10からは、３５分での見直し時間の条件下で、本発明に係る台数運転制御を行う。
【００８１】
また、時刻Ｔ9から５０分の時間満了時である時刻Ｔ10では、同時に、"運転台数の見直し作業"も行われる。この場合には、入口温度が第１基準温度（＝θ-1）に到達しないので、［表２］に示す第１基準を満たしておらず、運転台数は４台がそのまま維持される。
【００８２】
（ｘ）時刻Ｔ10〜Ｔ11（図１０では点コ）；
そして、最初の３５分の時間経過の時刻Ｔ11（図１０では点コ）で、ちょうど１段階下の設定温度θ-1（＝θ0−０．４℃）に到達したことが検出されたとすると、同様に、見直し時間が新たに割り出される。この場合には、現行の見直し時間の３５分が割り出され、次の時刻Ｔ11からも、３５分での見直し時間の条件下で、本発明に係る台数運転制御を行う。
【００８３】
さらに、この時刻Ｔ11は、前回の"台数見直し作業"の時刻Ｔ10から見直し時間の３５分が満了しているので、同様に、"台数見直し作業"が行われる。即ち、この台数見直し作業によれば、時刻Ｔ11には第１基準温度θ-1を検出しているので、［表２］に示す第１基準を満たしており、運転台数は３台に削減される。
【００８４】
（ｘｉ）時刻Ｔ11〜Ｔ12（図１０では点サ）；
このようにして、時刻Ｔ11からも引き続き次の３５分の見直し時間が実行されるが、運転台数の削減あるいは熱負荷の増大などの原因により、図１０のグラフでは、下り温度勾配の値（傾き）が減少している。そして、温度の低下が緩やかになって、次の３５分の時間経過時の時刻Ｔ12までの時間中には、次の１段階下の第２基準温度θ-2（＝θ0−０．８℃）に到達したことが検出されないので、少なくとも時刻Ｔ11までにはその"見直し時間の算出作業が"行われることがない。
【００８５】
一方、運転台数の見直しについては、前回の"運転台数の見直し作業"の行われた時刻Ｔ11からちょうど見直し時間の３５分が満了した時刻Ｔ12で、新たな"運転台数の見直し作業"が行われる。即ち、ここでは下り勾配で、入口温度が第１基準温度（＝θ-1）を下回っているので、第１基準を満たしており、１台の運転削減が行われる。これにより、次の時刻Ｔ12からも引き続き３５分の見直し時間の後半が継続されるが、運転台数は２台に変更される。
【００８６】
（ｘｉ）時刻Ｔ12〜Ｔ13（図１０では点シ）；
このように、時刻Ｔ12までには運転台数の見直し時間の算出作業が行われないので、見直し時間が新たに割り出されることがなく、時刻Ｔ12からも引き続き次の３５分の見直し時間が実行されるが、運転台数の削減あるいは熱負荷の増大などにより、下り温度勾配の値（傾き）から緩やかな上り勾配に転換する。そして、時刻Ｔ12から次の３５分の見直し時間の満了するときに、再び時刻Ｔ11のときと同じ設定温度（＝θ-1）に戻ってくる。
【００８７】
従って、この時刻Ｔ13のところでは、入口温度がちょうど第１基準温度θ-1に到達するので、"見直し時間間隔の算出作業"が行われるが、この場合には見直し時間の３５分が割り出される。これにより、時刻Ｔ13からも引き続き、３５分の見直し時間が継続される。
【００８８】
一方、この時刻Ｔ12〜Ｔ13までの時間中には、前回の運転台数見直し時刻Ｔ12から次の３５分の時間の満了時点（図１０では図示していない）さらにその後の見直し時間の満了するタイミングで、運転台数の見直し作業を行う。ここで、時刻Ｔ12から上り勾配であるが、時刻Ｔ12から次の３５分の時間の満了時点では、入口温度が第３基準温度（＝θ+1）に到達又はこれを上回っていない。従って、第２基準を満たしていない。その結果、この時刻Ｔ12から次の３５分の時間の満了時点でも、現行の運転台数が維持されている。
【００８９】
以上、本実施形態の場合の運転台数制御方法について説明してきたが、全台５台での運転台数の場合に、本実施形態によれば、全台５台での運転台数の場合に、最低２台から最高５台までを稼働させる運転制御となる。
【００９０】
一方、従来のような台数制御方法、つまり、図１０において細線で示すような４０分間隔での見直し時間が固定された制御方法の場合には、最低１台から最高５台までを稼働させる運転制御となる。
【００９１】
このように、本実施形態によれば、運転台数を最大４台まで変更させることで運転停止台数を最小限に抑えることで、冷温水の温度の安定化を図ることができるので、従来の最大５台の運転台数変更の場合に比べて効率が高まり、延いては省エネを図ることもできる。
【００９２】
なお、本発明では、特に上記した実施形態に限定されるものではない。
【００９３】
例えば、図１１に示すように、吸収冷温水機の運転台数制御装置として、それぞれ配管７０´に並列に接続される吸収冷温水機Ａ〜Ｅと、同様に、それぞれ配管７０´に並列に接続される冷暖房機２０Ａ〜２０Ｅとは、各吸収冷温水機の１台１台が各冷暖房機の１台１台と接続されるような構成としても構わない。また、このような配管接続構造が、上記した実施形態の配管構造と異なる構成であっても、その運転台数制御方法については前述の実施形態での制御方法と同じように行うことができる。
【００９４】
更に、本発明では、メインマイコン３０を例として説明したが、これには限られず、パーソナルコンピュータ（ＰＣ）、ワークステーション（ＷＳ）等の情報処理機能を有する情報処理装置を用いても前述の実施形態での制御方法を実現することができる。また、メインマイコン３０とスレーブマイコン４０Ａ〜４０Ｅとは専用線で接続しても、インターネットによって接続してもよく、メインマイコン３０、及びスレーブマイコン４０Ａ〜４０Ｅは同一構内（地区）内にある必要はなく、遠隔地にあるメインマイコン３０から制御してもよいことはいうまでもない。
【符号の説明】
【００９５】
１    高温再生器
１Ｂ    ガスバーナ
２    低温再生器
３    凝縮器
３Ａ    伝熱管
４    蒸発器
５    吸収器
５Ａ    伝熱管
６    低温熱交換器
７    高温熱交換器
８〜１１    吸収液管
１２    冷却塔
１３    吸収液ポンプ
１４〜１８    冷媒配管
１９    冷媒ポンプ
２０Ａ〜２０Ｅ    冷暖房機（室内ユニット；熱負荷）
２３    冷却水配管
２４    ガス供給管
２５    入熱制御弁
２６    制御弁モータ
２７〜２９    開閉弁
３０    メインマイコン
３１    ＣＰＵ（制御手段）
３３    メモリ（記憶手段）
４０Ａ〜４０Ｅ    スレーブマイコン
５０    温度センサ（温度検出手段）
６０Ａ〜６０Ｅ    ポンプ
７０，７０´    配管
７０Ａ〜７０Ｅ    個別配管
８０    ファン
Ａ〜Ｅ    吸収冷温水機
【図１】
2012007871.tif 000005
【図２】
2012007871.tif 000006
【図３】
2012007871.tif 000007
【図４】
2012007871.tif 000008
【図５】
2012007871.tif 000009
【図６】
2012007871.tif 000010
【図７】
2012007871.tif 000011
【図８】
2012007871.tif 000012
【図９】
2012007871.tif 000013
【図１０】
2012007871.tif 000014
【図１１】
2012007871.tif 000015
【図１２】
2012007871.tif 000016